(57)【要約】【課題】着用した吸尿パッドが身体に対してずれることを防止する。【解決手段】吸尿パッド１が腹側当接域６と背側当接域７と股部当接域８とを有する。腹側当接域６は、幅方向に中央部１５と一対の翼部１６とを有し、股部当接域８よりも幅広く作られている。腹側当接域６には、中心線Ｃ−Ｃの両側に、中心線Ｃ−Ｃに平行する剛性変化域５１が形成される。腹側当接域６において、剛性変化域５１よりも幅方向外方寄りの部分の曲げ剛性と幅方向内方寄りの曲げ剛性とは、いずれか一方の曲げ剛性を基準にしたときに、もう一方の曲げ剛性は少なくとも１．５倍の値を有する。【選択図】      図１
2005040220.tif 000002
【特許請求の範囲】
【請求項１】
透液性表面シートと、不透液性裏面シートと、これら両シート間に介在する体液吸収性芯材とからなり、前後方向とこの方向と交差する幅方向とを有し、前記前後方向の前方に腹側当接域が形成され、後方に背側当接域が形成され、これら両当接域間に股部当接域が形成されている使い捨ての体液処理用品であって、
前記腹側当接域は、前記腹側当接域の両側部が一対の翼部を形成するように前記股部当接域よりも幅広く形成されていて、一対の前記翼部のそれぞれと一対の前記翼部間に位置する中央部とに前記芯材を含み、かつ、前記体液処理用品の幅を二等分する中心線の両側それぞれに、前記中心線に平行して前記前後方向へ延びるとともに前記幅方向に２〜１５ｍｍの寸法を有する剛性変化域を含み、前記腹側当接域の前記前後方向と前記幅方向とにおける曲げ剛性が前記変化域よりも前記幅方向内方寄りの部分と、前記変化域よりも前記幅方向外方寄りの部分との間で急激に変化し、前記両部分のうちのいずれか一方の部分の剛性を基準にしたときにもう一方の部分の剛性が少なくとも１．５倍の値を有していることを特徴とする前記体液処理用品。
【請求項２】
前記内方寄りの部分と前記外方寄りの部分とが、前記剛性変化域を境にして厚さおよび密度の少なくとも一方が異なる前記芯材を含むことにより、前記剛性が急激に変化している請求項１記載の体液処理用品。
【請求項３】
前記変化域が前記両部分を前記幅方向において離間させている溝である請求項１または２記載の体液処理用品。
【請求項４】
前記剛性変化域が前記背側当接域にも形成されている請求項１〜３のいずれかに記載の体液処理用品。
【請求項５】
前記幅方向内方寄りの部分の剛性が前記幅方向外方寄りの部分の剛性の少なくとも１．５倍である請求項１〜４のいずれかに記載の体液処理用品。
【発明の詳細な説明】
【０００１】
【発明の属する技術分野】
この発明は、失禁患者が着用する吸尿パッド等として好適な使い捨ての体液処理用品に関する。
【０００２】
【従来の技術】
特開２００３−９３４３９号公報（特許文献１）に開示された吸収性物品は、吸尿パッドとして使用するのに好適なもので、使い捨ておむつ等と組み合わせて着用される。その組み合わせのために、吸収性物品のバックシートの外面には機械式ファスナー部材や粘着剤からなるズレ止め手段が設けられる。
【０００３】
特表２００２−５０７９１５号公報（特許文献２）には、バッグを有する糞便回収装置が開示されている。この装置は、使い捨ておむつ等との併用に適したもので、糞便を保持するためのバッグを有し、このバッグには糞便を受け入れる開口部と、その開口部の周囲に延びるフランジとが形成されている。フランジには感圧性の接着剤が塗布されている。かような装置では、その接着剤によってフランジが装置着用者の肌に密着する。
【０００４】
【特許文献１】
特開２００３−９３４３９号公報
【特許文献２】
特表２００２−５０７９１５号公報
【０００５】
【発明が解決しようとする課題】
体液を処理するために着用される特許文献１や特許文献２の物品は、それらが着用されるときに、粘着剤や感圧性の接着剤、機械式ファスナー部材等の手段によって、身体に直接的または間接的に固定される。しかし、これらの手段には、それが粘着剤や接着剤であれば、それらが着用者の肌のかぶれの原因になるとか、肌から剥がすときに肌に強い刺激を与えるとかという問題の他に、それらの表面がごみや汗等によって汚れると、再使用できなくなるという問題がある。またその手段が着用したおむつに対する機械式ファスナー部材であれば、この部材と組み合わせられるおむつ側の部材もまた機械式ファスナー部材であるかまたはその代替となり得るものに限られるという問題の他に、吸尿パッド自体には着用者に対する位置決め手段がないから、吸尿パッドを繰り返し着用するときに、着用者の身体に対して吸尿パッドが常に適正な位置に当てがわれるようにすることが難しいという問題がある。
【０００６】
この発明は、オープン型のおむつやパンツ型のおむつ、おむつカバー等の着用物品と併用する前記従来技術の如き使い捨ての体液処理用品について、前記諸問題を解消し得るように改良することを課題にしている。
【０００７】
【課題を解決するための手段】
前記課題解決のために、この発明が対象とするのは、透液性表面シートと、不透液性裏面シートと、これら両シート間に介在する体液吸収性芯材とからなり、前後方向とこの方向と交差する幅方向とを有し、前記前後方向の前方に腹側当接域が形成され、後方に背側当接域が形成され、これら両当接域間に股部当接域が形成されている使い捨ての体液処理用品である。
【０００８】
かかる体液処理用品において、この発明が特徴とするところは次のとおりである。前記腹側当接域は、前記腹側当接域の両側部が一対の翼部を形成するように前記股部当接域よりも幅広く形成されていて、一対の前記翼部のそれぞれと一対の前記翼部間に位置する中央部とに前記芯材を含み、かつ、前記体液処理用品の幅を二等分する中心線の両側それぞれに、前記中心線に平行して前記前後方向へ延びるとともに前記幅方向に２〜１５ｍｍの寸法を有する剛性変化域を含んでいる。前記腹側当接域の前記前後方向と前記幅方向とにおける曲げ剛性は、前記変化域よりも前記幅方向内方寄りの部分と、前記変化域よりも前記幅方向外方寄りの部分との間で急激に変化し、前記両部分のうちのいずれか一方の部分の剛性を基準にしたときにもう一方の部分の剛性が少なくとも１．５倍の値を有している。
【０００９】
この発明には、次のような好ましい実施態様がある。
（１）前記内方寄りの部分と前記外方寄りの部分とが、前記変化域を境にして厚さおよび密度の少なくとも一方が異なる前記芯材を含むことにより、前記剛性が急激に変化している。
（２）前記変化域が前記両部分を前記幅方向において離間させている溝である。
（３）前記剛性変化域が前記背側当接域にも形成されている。
（４）前記幅方向内方寄りの部分の剛性は、前記幅方向外方寄りの部分の剛性の少なくとも１．５倍である。
【００１０】
【発明の実施の形態】
使い捨ての体液処理用品として使い捨ての吸尿パッドを例に取り、添付の図面を参照してこの発明の詳細を説明すると、以下のとおりである。
【００１１】
図１は、吸尿パッド１の部分破断平面図である。吸尿パッド１は、その内面側に位置する透液性表面シート２と、外面側に位置する不透液性裏面シート３と、これら両シート２，３間に介在してほぼ砂時計型を呈する体液吸収性芯材４とを有する。芯材４の周縁１０の外側には、両側縁部フラップ１１と、前端縁部フラップ１２と、後端縁部フラップ１３とが形成されている。表面シート２と裏面シート３とは、芯材４の周縁１０から延出する部分が接着または溶着により互いに接合して両側縁部フラップ１１と前端縁部フラップ１２と後端縁部フラップ１３との一部分を形成している。吸尿パッド１はまた、その幅を二等分して図の縦方向である前後方向へ延びる中心線Ｃ−Ｃの前方に腹側当接域６を有し、後方に背側当接域７を有し、これら両当接域６，７間に股部当接域８を有する。吸尿パッド１の内面側には、中心線Ｃ−Ｃに平行して前後方向へ延びていて互いに対向する一対の防漏カフ２１が形成されている。防漏カフ２１は、内縁部２２と、外縁部２３と、前端縁部２４と、後端縁部２５とを有し、外縁部２３と前端縁部２４と後端縁部２５とのそれぞれが吸尿パッド１の側縁部フラップ１１と前端縁部フラップ１２と後端縁部フラップ１３とに位置している。防漏カフ２１の内縁部２２は、防漏カフ２１を折り返すことにより形成されたスリーブ２６の内面に中心線Ｃ−Ｃに平行する弾性部材２７が伸長状態で取り付けられており、吸尿パッド１が着用されたときには、弾性部材２７が収縮することにより表面シート２の上方へ向かって起立することができる（図５参照）。
【００１２】
かような吸尿パッド１は、股部当接域８における両側縁部フラップ１１が中心線Ｃ−Ｃに向かって凸となるように湾曲し、芯材４もまた、その周縁１０が中心線Ｃ−Ｃに向かって凸となるように湾曲している。両側縁部１１は、部位１１ａにおいて中心線Ｃ−Ｃに最も接近していて幅Ａを有し、周縁１０は、部位１０ａにおいて中心線Ｃ−Ｃに最も接近していて幅Ｂを有する。これらの部位１０ａ，１１ａは、吸尿パッド１の前後方向における中央部ないしはその中央部よりも腹側当接域６寄りに位置している。
【００１３】
腹側当接域６は、股部当接域８における芯材４の左右一対の部位１０ａと１０ａとを通って中心線Ｃ−Ｃに平行して延びる一対の鎖線Ｄの内側の部分である前方中央部１５と、一対の鎖線Ｄそれぞれの外側の部分であって幅方向外方へ延びており、吸尿パッド着用者の腹側部分を幅広く覆うことができる一対の前方翼部１６とを有する。
【００１４】
背側当接域７は、一対の鎖線Ｄの内側の部分である後方中央部３１と、一対の鎖線Ｄそれぞれの外側の部分であって幅方向外方へ延びており、吸尿パッド着用者の背側部分を幅広く覆うことができる一対の後方翼部３２とを有する。
【００１５】
図２は、図１において股部当接域８を横断しているＩＩ−ＩＩ線に沿った切断面を示す図である。表面シート２と裏面シート３とは芯材４の周縁１０から側方へ延出して重なり合い、互いに接合している。裏面シート３は、表面シート２よりもさらに側方へ延出し、その延出する部分には防漏カフ２１の外縁部２３が接合している。防漏カフ２１の内縁部２２は、表面シート２の上方にあり、吸尿パッド１が着用されて前後方向へ湾曲すると、弾性部材２７が収縮して表面シート２の内面から仮想線の如くに立ち上がることが可能である（図５参照）。
【００１６】
図３は、図１において腹側当接域６を横断しているＩＩＩ−ＩＩＩ線に沿った吸尿パッド１の部分切断面を示す図である。腹側当接域６は、吸尿パッド１の前後方向と幅方向とにおける曲げ剛性が、鎖線Ｄに沿って設けられていて、多数のドットの集合として図示されている前方剛性変化域５１を境にして急激に変化するように、換言すると非連続的に変化するように作られている。図示例の腹側当接域６では、前方中央部１５に位置する芯材４が厚さＰを有し、前方翼部１６に位置する芯材４が厚さＱを有し、厚さＱは厚さＰの少なくとも１．２倍、より好ましくは少なくとも１．５倍、さらに好ましくは少なくとも２倍の値を有している。これら厚さＰとＱとの差異によって、前方翼部１６は、その幅方向と前後方向それぞれの曲げ剛性が前方中央部１５の幅方向と前後方向それぞれの曲げ剛性の少なくとも１．５倍となるように調整されている。厚さＰとＱとの差異が大きいほど前方翼部１６と前方中央部１５との剛性の差異が大きくなる。前方剛性変化域５１は、それを境にして剛性が急激に変化するように、幅が２〜１５ｍｍ、より好ましくは３〜１０ｍｍの範囲にある。一般的にいえば、この幅が小さいほど剛性の差異による前方翼部１６と前方中央部１５との挙動の差異が顕著になる。しかし、この幅を２ｍｍ以下にすることは、芯材４の品質管理を難しくするので好ましくない。前方翼部１６と前方中央部１５との剛性は、芯材４の厚さの差異によって調整されていてもよいし、芯材４の厚さと密度との差異によって調整されていてもよいし、芯材４の密度のみの差異によって調整されていてもよい。腹側当接域６において、表面シート２は股部当接域８における幅と同じ幅を有しており、芯材４が表面シート２から側方へ延出する部分は防漏カフ２１の外縁部２３および外縁部２３と内縁部２２との中間部とによって覆われている。
【００１７】
図４は、図１において背側当接域７を横断しているＩＶ−ＩＶ線に沿った吸尿パッド１の部分切断面を示す図である。背側当接域７は、吸尿パッド１の前後方向と幅方向とにおける剛性が鎖線Ｄに沿って設けられ、多数のドットの集合として図示された後方剛性変化域５２で急激に変化するように作られる。背側当接域７では、後方中央部３１が厚さＲを有し、後方翼部３２が厚さＳを有する。厚さＳは厚さＲの少なくとも１．２倍、より好ましくは少なくとも１．５倍、さらに好ましくは少なくとも２倍の値を有し、こられ厚さＳとＲとの差異によって、後方翼部３２は前後方向と幅方向それぞれの剛性が後方中央部３１の前後方向と幅方向それぞれの曲げ剛性の少なくとも１．５倍となるように作られている。後方剛性変化域５２の幅は２〜１５ｍｍ、より好ましくは３〜１０ｍｍの範囲にある。これら厚さＲ，Ｓの差異や剛性の差異、剛性変化域５２の幅については腹側当接域６と同様なことがいえる。
【００１８】
図５は、使用状態にある吸尿パッド１の斜視図である。吸尿パッド１は仮想線で示されている着用されたパンツ１００の内側にあって、着用者１０１の腹側部１０２と、背側部１０３と、股部１０４とに密着している。吸尿パッド１は、それが前後方向へ湾曲することに伴う弾性部材２７（図１参照）の収縮によって、股部当接域８の防漏カフ２１では、内縁部２２が外縁部２３を基端にして表面シート２の内面から上方に向かって起立している。その股部当接域８は、着用者１０１の両脚１０６に挟まれて幅が狭くなるように、例えば幅方向断面がＶ字形やＷ字形を呈して狭くなるように変形するとともに、前後方向へ延びる多数のひだ１０７を形成し、そのひだ１０７のいくつかが腹側当接域６の前方中央部１５や背側当接域７の後方中央部３１にまで延びている。ただし、前方中央部１５と前方翼部１６それぞれとの間、および後方中央部３１と後方翼部３２それぞれとの間には剛性変化域５１，５２が形成されていて、曲げ剛性が前方剛性変化域５１と後方剛性変化域５２とにおいて急激に、換言すると非連続的に変化するので、前方中央部１５や後方中央部３１の変形は前方翼部１６や後方翼部３２に伝わることがないか、または伝わり難い。そうしたことの結果として、吸尿パッド１は、それを着用した状態でも、前方翼部１６と後方翼部３２とが図１に示されているように側方へ大きく広がった状態を維持することができるので、腹側部１０２や背側部１０３に広い範囲にわたって密着するのみならず、股部当接域８において中心線Ｃ−Ｃに向かって湾曲している側縁部フラップ１１のうちで、前方翼部１６と後方翼部３２とに近い部分４１，４２（図１参照）それぞれが脚部１０６のつけ根の周囲に、その付け根を囲むようにして密着する。そのような吸尿パッド１の前方翼部１６や後方翼部３２は、吸尿パッド１が着用者１０１の身体に対して矢印Ｘ，Ｙで示される前後方向へずれ動くことを抑制可能なストッパーとして作用する。また、吸尿パッド１を繰り返し着用するときには、部位４１，４２が脚部１０６の付け根に位置するようにして吸尿パッド１を身体に当てがうことによって、着用者の身体に対して吸尿パッド１を常に適正な位置で当てがうことができる。
【００１９】
この発明において、吸尿パッド１における芯材４の曲げ剛性は、ＪＩＳ  Ｐ  ８１２５に準拠し、日進（株）製のＴａｂｅｒ  Ｓｔｉｆｆｎｅｓｓ  Ｔｅｓｔｅｒを使用して測定される。剛性の測定には３８．１×７０ｍｍのサイズ試片を使用する。剛性の値は、剛性を測定すべき所要の部位について、試片の長さ方向が吸尿パッド１の幅方向（胴周り方向）に一致する少なくとも３個の試片の平均値および試片の長さ方向が前後方向に一致する少なくとも３個の試片の平均値を求める。試片サイズが剛性を測定すべき所要の部位のサイズを超えるときには、その部位に相等する試片を吸尿パッド１とは別に作製して剛性を測定することができる。試片の厚さはダイアルゲージを使用し、試片に５ｇ／ｃｍ２の面圧をかけて測定される。剛性の単位はＮ・ｃｍである。吸尿パッド１の表面シート２には、透液性の不織布や織布、開孔プラスチックフィルム等を使用することができる。裏面シート３には、不透液性のプラスチックフィルムや不織布の他に、不透液性のプラスチックフィルムの外面に通気性の不織布をラミネートした複合シート等を使用することができる。芯材４には、粉砕パルプの他に、粉砕パルプと高吸水性ポリマー粒子や熱可塑性合成繊維との混合物を使用することができる。これら粉砕パルプや混合物はティシューペーパ等の透液性、好ましくは透液性であって液拡散性のシートによって被覆して使用することができる。着用者１０１の身体に対する吸尿パッド１のずれ防止を強化するために、吸尿パッド１の裏面シート３の外面には、吸尿パッド１と併用するパンツ１００やおむつ、おむつカバーの内面に対するすべり止めの手段、例えば粘着域を設けることができる。
【００２０】
図６は、実施態様の一例を示す図１と同様な図である。この吸尿パッド１の腹側当接域６は、図１のそれと同様に形成されていて前方中央部１５と一対の前方翼部１６とを有するが、背側当接域７は、股部当接域８の幅Ａとほぼ同じ幅に形成されており、後方中央部３１に相当する部位を有してはいるが、後方翼部３２に相当する部位を有していない。この吸尿パッド１は、それが着用されたときに、前方翼部１６によって、図５における矢印Ｙ方向へのずれを抑えることができる。なお、この発明に係る吸尿パッド１は、図６の形状ではなくて、腹側当接域６が股部当接域８とほぼ同じ幅に形成され、背側当接域７が後方中央部３１と後方翼部３２と後方剛性変化域５２とを有するように作られていてもよい。そのようにすれば、後方翼部３２が脚部１０６に後方から当接して、吸尿パッド１の前方向Ｘへのずれを抑制することができる。
【００２１】
図７は、実施態様の一例を示す図３と同様な図である。この吸尿パッド１では、腹側当接域６における前方剛性変化域５１が鎖線Ｄよりも内方に形成されている。吸尿パッド１の大きさにもよるが、鎖線Ｄと前方剛性変化域５１との離間寸法Ｍは、３０ｍｍ以内であることが好ましい。そのようにすることによって、幅の大きい前方翼部１６を得ることが可能になる。前方剛性変化域５１は、鎖線Ｄに関して図示例の位置とは反対側、すなわち鎖線Ｄよりも外方に形成されていてもよい。
【００２２】
図８もまた、実施態様の一例を示す図３と同様な図である。この吸尿パッド１では、鎖線Ｄの近傍に前方剛性変化域５１が形成されているが、前方剛性変化域５１よりも内方の前方中央部１５における芯材４の厚さＰは、前方剛性変化域５１よりも外方の前方翼部１６における芯材４の厚さＱの少なくとも１．２倍、より好ましくは少なくとも１．５倍、さらに好ましくは少なくとも２倍であって、このような厚さの差異によって、またはこのような厚さの差異に密度の差異を加えることによって、前方中央部１５の前後方向と幅方向の剛性が前方翼部１６の前後方向と幅方向の剛性の少なくとも１．５倍となるように調整されている。吸尿パッド１が着用されたときに、剛性の高い前方中央部１５における変形は前方剛性変化域５１の近傍において前方翼部１６にまで伝わることがあっても、その変形は剛性の低い前方翼部１６において広範囲には広がることがない。そのような前方翼部１６は、着用者１０１の脚部１０６の付け根や腹側部１０２の広い範囲にわたって密着して、吸尿パッド１の矢印Ｙ方向（図５参照）へのずれを抑えることができる。この実施態様における吸尿パッド１の一例において、前方中央部１５の前後方向と幅方向との剛性値は０．０２１〜０．０２２Ｎ・ｃｍであり、前方翼部１６の前後方向幅方向との剛性値は０．００４５〜０．００４９Ｎ・ｃｍであって、前方中央部１５の剛性値は、前方翼部１６の剛性値の４〜５倍である。
【００２３】
図９もまた、実施態様の一例を示す図３と同様な図である。この吸尿パッド１の前方剛性変化域５１は鎖線Ｄの近傍にある。芯材４は、前方剛性変化域５１の両側においてほぼ一様な厚さを有するが、前方剛性変化域５１よりも外方の前方翼部１６における芯材４のほぼ全体が高密度を呈するように圧縮されており、その密度が内方の前方中央部１５における芯材４の密度よりも高くなり、それによって前方翼部１６の前後方向と幅方向とにおける剛性が前方中央部１５のそれよりも高く、好ましくは少なくとも１．５倍高くなるように調整されている。かような前方翼部１６もまた、図３の前方翼部１６と同様に作用する。
【００２４】
図１０は、実施態様の一例を示す図９と同様な図である。この吸尿パッド１の腹側当接域６では、密度の低い前方中央部１５と密度の高い前方翼部１６とを幅方向において離間させる溝が前方剛性変化域５１として形成されている。溝を成す前方剛性変化域５１は、図９の前方剛性変化域５１と比べると、前方中央部１５の変形が前方翼部１６に伝わることを一層効果的に抑えることができる。図示例の溝の底部には芯材４が薄層を成して存在している。かかる薄層の厚さは、前方中央部１５および前方翼部１６の厚さの１／２を超えないことが好ましく、１／３を超えないことがより好ましい。薄層の厚さが前方翼部１６の厚さの１／２を超えると、前方剛性変化域５１が溝であることの効果が乏しくなる。なお、この発明では、溝の底部に芯材４を含まない前方剛性変化域５１を採用することも可能である。そのような前方剛性変化域５１では、表面シート２と裏面シート３とを接着または溶着によって接合して前方中央部１５と前方翼部１６とを確実に離間させておくことが好ましい。
【００２５】
図６〜図１０において腹側当接域６を対象にして実施した態様は、背側当接域７にも適用することが可能であり、また腹側当接域６に替えて背側当接域７のみに適用することも可能である。しかし、この発明では、腹側当接域６と背側当接域７とのうちで、少なくとも腹側当接域６に剛性変化域を設けると、発明の効果が顕著になる。吸尿パッド１を例にとって説明したこの発明に係る体液処理用品は、使い捨ておむつや生理用パッドとしても使用可能である。
【００２６】
【発明の効果】
この発明に係る吸尿パッドは、腹側当接域と背側当接域とのうちの少なくとも腹側当接域に、中央部と翼部とが形成されるとともに、前後方向に延びる剛性変化域が形成されていて、吸尿パッドを着用したときに生じる中央部の変形が翼部にまでは及び難いから、その翼部は大きく広がって着用者の脚部のつけ根と腹側部とに密着し、吸尿パッドの身体に対するずれを抑えることができる。このような吸尿パッドであれば、このパッドと併用するおむつやパンツとして特別なものを選ぶ必要がないばかりでなく、従来吸尿パッドに使用されていた粘着剤や接着剤がその表面の汚れによって再使用できなくなったとしても、身体に対する吸尿パッドのずれを抑えることができる。
【図面の簡単な説明】
【図１】吸尿パッドの部分破断平面図。
【図２】図１のＩＩ−ＩＩ線切断面を示す図。
【図３】図１のＩＩＩ−ＩＩＩ線切断面を示す図。
【図４】図１のＩＶ−ＩＶ線切断面を示す図。
【図５】着用状態にある吸尿パッドの斜視図。
【図６】実施態様の一例を示す図１と同様な図。
【図７】実施態様の一例を示す図３と同様な図。
【図８】実施態様の一例を示す図３と同様な図。
【図９】実施態様の一例を示す図３と同様な図。
【図１０】実施態様の一例を示す図９と同様な図。
【符号の説明】
１      体液処理用品（吸尿パッド）
２      表面シート
３      裏面シート
４      芯材
１５      中央部（前方中央部）
１６      翼部（前方中央部）
３１      中央部（後方中央部）
３２      翼部  （後方中央部）
５１      剛性変化域（前方剛性変化域）
５２      剛性変化域（後方剛性変化域）
【図１】
2005040220.tif 000003
【図２】
2005040220.tif 000004
【図３】
2005040220.tif 000005
【図４】
2005040220.tif 000006
【図５】
2005040220.tif 000007
【図６】
2005040220.tif 000008
【図７】
2005040220.tif 000009
【図８】
2005040220.tif 000010
【図９】
2005040220.tif 000011
【図１０】
2005040220.tif 000012